(57)【特許請求の範囲】
【請求項１】
複数本の絶縁線心を平行に互いに融着させて配列させてなる平行部と、複数本の絶縁線心を対撚りさせてなる対撚り部とを、長手方向に亘って交互に形成したフラットケーブルにおいて、上記対撚り部にのみ粘着テープを両面ラミネートしたことを特徴とするフラットケーブル。
【請求項２】
複数本の絶縁線心を平行に互いに融着させて配列させてなる平行部と、複数本の絶縁線心を対撚りさせてなる対撚り部とを、長手方向に亘って交互に形成したフラットケーブルにおいて、片面全長に亘って粘着テープをラミネートし、他面には上記対撚り部にのみ粘着テープをラミネートしたことを特徴とするフラットケーブル。
【発明の詳細な説明】
【０００１】
【発明の属する技術分野】
本発明は、フラットケーブルに係り、特に、長手方向に亘って平行部と対撚り部が交互に形成されたツイストフラットケーブルに関するものである。
【０００２】
【従来の技術】
コンピュータ、計測制御機器、事務機、通信機器、その他の電子機器内部配線に用いられるフラットケーブルの一つとして、ツイストフラットケーブルが挙げられる。
【０００３】
従来のツイストフラットケーブル３０は、図５、図６に示すように、複数本の絶縁線心１を平行に互いに融着させて配列させてなる平行部４と、複数本の絶縁線心１を対撚りさせてなる対撚り部５とを、長手方向に亘って交互に形成し、片面全長に亘って、片面に粘着剤が塗布されたプラスチックテープ（粘着テープ）６ｂをラミネートしたものであった。
【０００４】
【発明が解決しようとする課題】
しかしながら、従来のツイストフラットケーブル３０においては、粘着テープ６ｂが片面しかラミネートされていないため、対撚り部５で粘着テープ６ｂから対撚り線心（対撚りされた絶縁線心１）が完全に浮き上がってしまう部分が生じてしまい、取り扱いによっては、対撚り線心を引っ掛けてしまうおそれもある。
【０００５】
また、厳密には、対撚り線心が粘着テープ６ｂに対して完全に固定されていないため、ツイストフラットケーブル３０の伝送特性の安定性・信頼性が万全であるとはいえなかった。
【０００６】
さらに、上述した問題を解消すべく、両面全長に亘って粘着テープをラミネートしてツイストフラットケーブルを形成した場合（図示せず）、平行部の両面も粘着テープでラミネートされることになるため、平行部をコネクタに圧接・嵌合する際に、この粘着テープが圧接・嵌合性に悪影響を及ぼし、ツイストフラットケーブルの信頼性を低下させてしまっていた。
【０００７】
そこで本発明は、上記課題を解決し、対撚り部の線心浮き及び引っ掛けのおそれがないと共に、伝送特性の信頼性が高く、かつ、平行部のコネクタ圧接・嵌合性を低下させるおそれがないフラットケーブルを提供することにある。
【０００８】
【課題を解決するための手段】
上記課題を解決するために請求項１の発明は、複数本の絶縁線心を平行に互いに融着させて配列させてなる平行部と、複数本の絶縁線心を対撚りさせてなる対撚り部とを、長手方向に亘って交互に形成したフラットケーブルにおいて、上記対撚り部にのみ粘着テープを両面ラミネートしたものである。
【０００９】
請求項２の発明は、複数本の絶縁線心を平行に互いに融着させて配列させてなる平行部と、複数本の絶縁線心を対撚りさせてなる対撚り部とを、長手方向に亘って交互に形成したフラットケーブルにおいて、片面全長に亘って粘着テープをラミネートし、他面には上記対撚り部にのみ粘着テープをラミネートしたものである。
【００１０】
以上の構成によれば、対撚り部は粘着テープで両面ラミネートされることから、対撚り部の線心浮き及び引っ掛けのおそれがないと共に、伝送特性の信頼性が高くなる。また、平行部は、片面フリー又は両面フリーであるため、平行部をコネクタに圧接・嵌合する際における圧接・嵌合性が良好となると共に、フラットケーブルの信頼性低下のおそれもなくなる。
【００１１】
【発明の実施の形態】
以下、本発明の好適一実施の形態を添付図面に基いて説明する。
【００１２】
本発明のフラットケーブル１０の平面図を図１に、図１におけるＡ−Ａ線断面図を図２に示す。尚、図５、図６と同様の部材には同じ符号を付している。
【００１３】
図１、図２に示すように、本発明のフラットケーブル１０は、複数本の絶縁線心１を平行に互いに融着させて配列させてなる平行部４と、複数本の絶縁線心１を対撚りさせてなる対撚り部５とを、長手方向に亘って交互に形成し、対撚り部５にのみ粘着テープ６ａ，６ｂ（図１中では６ａのみ表示）を両面ラミネートしたものである。ここで、絶縁線心１は、導体２の外周を絶縁体３で被覆してなるものである。
【００１４】
導体２としては特に限定するものではなく、例えば、Ｓｎメッキ軟銅線などが挙げられる。また、絶縁体３としては特に限定するものではなく、例えば、耐熱ＰＶＣなどが挙げられる。
【００１５】
粘着テープ６ａ，６ｂは、プラスチックテープの片面に粘着材を塗布したものであり、プラスチックテープの材質としては特に限定するものではなく、例えば、ＰＥＴなどが挙げられ、また、粘着材としては特に限定するものではなく、例えば、ポリエステル系コーティング剤などが挙げられる。
【００１６】
粘着テープ６ａ，６ｂの厚さとしては特に限定するものではないが、１０〜２０μｍ程度が好ましい。
【００１７】
次に、本発明の作用を説明する。
【００１８】
本発明のフラットケーブル１０によれば、対撚り部５に粘着テープ６ａ，６ｂを両面ラミネートさせているため、対撚り線心（対撚りされた絶縁線心１）が片面で粘着テープ６ａ（又は６ｂ）から完全に浮き上がっていても、他面では粘着テープ６ｂ（又は６ａ）に固定されているため、フラットケーブル１０の伝送特性の安定性・信頼性が非常に高くなる。
【００１９】
また、対撚り部５は、粘着テープ６ａ，６ｂで両面ラミネートされているため、フラットケーブル１０の取り扱いの際に、対撚り線心を引っ掛けてしまうおそれがない。
【００２０】
さらに、平行部４は、粘着テープ６ａ，６ｂでラミネートされておらず、両面がフリーの状態であるため、平行部４をコネクタ（図示せず）に圧接・嵌合する際の圧接・嵌合性が良好となると共に、フラットケーブル１０の信頼性低下のおそれもない。
【００２１】
次に、本発明の他の実施の形態を添付図面に基いて説明する。
【００２２】
図１、図２に示したフラットケーブル１０は、対撚り部５にのみ粘着テープ６ａ，６ｂを両面ラミネートし、平行部４は両面フリーの状態であった。
【００２３】
他の実施の形態のフラットケーブル２０の平面図を図３に、図３におけるＢ−Ｂ線断面図を図４に示す。尚、図１、図２と同様の部材には同じ符号を付している。
【００２４】
これに対して、本実施の形態のフラットケーブル２０は、図３、図４に示すように、複数本の絶縁線心１を平行に互いに融着させて配列させてなる平行部４と、複数本の絶縁線心１を対撚りさせてなる対撚り部５とを、長手方向に亘って交互に形成し、片面全長に亘って粘着テープ６ｂをラミネートし、他面には対撚り部５にのみ粘着テープ６ａをラミネートしたものである。
【００２５】
本実施の形態のフラットケーブル２０においても、図１、図２に示したフラットケーブル１０と同様の作用効果を奏することは言うまでもないが、片面全長に亘って粘着テープ６ｂをラミネートするため、ラミネート工程が簡略化されてフラットケーブル２０の作業・生産性が向上する。また、片面全長に亘って粘着テープ６ｂをラミネートすることで、フラットケーブル２０の対撚り部５が厚さ方向にグラグラと折れ曲がりにくくなくなるため、フラットケーブル２０の伝送特性の安定性・信頼性が更に高くなる。
【００２６】
【発明の効果】
以上要するに本発明によれば、対撚り部を両面ラミネートすることで、対撚り部の線心浮き及び引っ掛けのおそれがないと共に、伝送特性の信頼性が高くなり、また、平行部を両面フリー（又は片面フリー）とすることで、平行部をコネクタに圧接・嵌合する際における圧接・嵌合性が良好となると共に、フラットケーブルの信頼性低下のおそれもなくなるという優れた効果を発揮する。
【図面の簡単な説明】
【図１】本発明のフラットケーブルの平面図である。
【図２】図１におけるＡ−Ａ線断面図である。
【図３】他の実施の形態のフラットケーブルの平面図である。
【図４】図３におけるＢ−Ｂ線断面図である。
【図５】従来のフラットケーブルの平面図である。
【図６】図５におけるＣ−Ｃ線断面図である。
【符号の説明】
１  絶縁線心
４  平行部
５  対撚り部
６ａ，６ｂ  粘着テープ
１０，２０  フラットケーブル
【図１】
0003603659.tif 000002
【図２】
0003603659.tif 000003
【図３】
0003603659.tif 000004
【図４】
0003603659.tif 000005
【図５】
0003603659.tif 000006
【図６】
0003603659.tif 000007